(57)【要約】【課題】取扱者が印刷された情報を容易に把握できる印刷物を作成可能な印刷装置等を提供する。【解決手段】識別子およびパラメーターから成るコード情報に基づいて印刷を行う印刷装置１０であって、識別子と、所定の印刷要素に装飾を施して印刷するための装飾情報と、パラメーターに基づいて当該装飾を施すか否かを判定するための条件と、を関連付けた装飾テーブル１５ｂと、コード情報を含む印刷データーを取得する印刷データー取得部１１と、コード情報から、装飾テーブル１５ｂに記憶されている識別子が含まれる属性情報を抽出する属性情報抽出部１２と、抽出した属性情報に含まれるパラメーターが、当該属性情報に含まれる識別子に関連付けられた条件を満たすか否かを判別する条件判別部１３と、パラメーターが条件を満たす場合、識別子に関連付けられた装飾情報に基づいて印刷を行う印刷部１４と、を備えたものである。【選択図】図１
2011042103.tif 000002
【特許請求の範囲】
【請求項１】
コード画像を印刷するためのコード情報に基づいて印刷を行う印刷装置であって、
前記コード情報は、１以上の属性情報を含み、当該属性情報は、各属性情報を識別する
ための識別子と、当該識別子に付加されたパラメーターと、から成り、
前記識別子と、所定の印刷要素に装飾を施して印刷するための装飾情報と、前記パラメ
ーターに基づいて当該装飾を施すか否かを判定するための条件と、を関連付けて記憶する
記憶部と、
前記コード情報を取得するコード情報取得部と、
前記コード情報から、前記記憶部に記憶されている前記識別子が含まれる属性情報を抽
出する属性情報抽出部と、
抽出した前記属性情報に含まれる前記パラメーターが、当該属性情報に含まれる前記識
別子に前記記憶部で関連付けられた前記条件を満たすか否かを判別する条件判別部と、
前記条件判別部により、前記パラメーターが前記条件を満たすと判定された場合、前記
識別子に関連付けられた前記装飾情報に基づいて印刷を行う印刷部と、を備えたことを特
徴とする印刷装置。
【請求項２】
前記印刷部は、前記識別子に関連付けられた前記装飾情報に基づいて装飾が施された前
記所定の印刷要素と、前記コード情報取得部により取得したコード情報に基づく前記コー
ド画像と、を印刷することを特徴とする請求項１に記載の印刷装置。
【請求項３】
前記所定の印刷要素は、前記識別子に付加された前記パラメーターを指すことを特徴と
する請求項１または２に記載の印刷装置。
【請求項４】
前記印刷部は、前記パラメーターに、前記識別子に対応するテキストを付加して印刷す
ることを特徴とする請求項３に記載の印刷装置。
【請求項５】
前記識別子は、商品コードを示すものであり、
前記条件判別部は、商品データーベースの参照結果から、前記パラメーターによって特
定される商品が広告対象商品であると判定できた場合、前記条件を満たすと判定すること
を特徴とする請求項１ないし４のいずれか１項に記載の印刷装置。
【請求項６】
前記識別子は、期限日を示すものであり、
前記条件判別部は、計時部の計時結果から、前記パラメーターによって特定される日付
までの残り日数が所定日数以内であると判定できた場合、前記条件を満たすと判定するこ
とを特徴とする請求項１ないし４のいずれか１項に記載の印刷装置。
【請求項７】
前記装飾情報は、文字サイズ、文字スタイル、下線、罫線、枠線、文字飾り、文字色、
線色、地紋色、文字種類、画像付加、印刷位置、のうち、１以上に関する情報を含むこと
を特徴とする請求項１ないし６のいずれか１項に記載の印刷装置。
【請求項８】
請求項１ないし７のいずれか１項に記載の印刷装置と、
前記印刷装置に、前記コード情報を送信する外部装置と、を備えたことを特徴とする印
刷システム。
【請求項９】
識別子およびパラメーターから成る属性情報を１以上含むコード情報に基づいて印刷を
行う印刷装置の制御方法であって、
前記印刷装置は、
前記識別子と、所定の印刷要素に装飾を施して印刷するための装飾情報と、前記パラメ
ーターに基づいて当該装飾を施すか否かを判定するための条件と、を関連付けて記憶する
記憶部を備え、
コード画像を印刷するための前記コード情報を取得するステップと、
前記コード情報から、前記記憶部に記憶されている前記識別子が含まれる属性情報を抽
出するステップと、
抽出した前記属性情報に含まれる前記パラメーターが、当該属性情報に含まれる前記識
別子に前記記憶部で関連付けられた前記条件を満たすか否かを判別するステップと、
前記パラメーターが前記条件を満たすと判定された場合、前記識別子に関連付けられた
前記装飾情報に基づいて印刷を行うステップと、を実行することを特徴とする印刷装置の
制御方法。
【請求項１０】
コンピューターに、請求項９に記載の印刷装置の制御方法における各ステップを実行さ
せるためのプログラム。
【発明の詳細な説明】
【技術分野】
【０００１】
コード画像を印刷するためのコード情報に基づいて印刷を行う印刷装置、印刷システム
、印刷装置の制御方法およびプログラムに関するものである。
【背景技術】
【０００２】
小売や物流の現場では、人や物品の識別などを行う有効な手段として、バーコードを代
表とするコード画像（コードシンボル）が用いられている。近年では、情報活用の多様化
や識別内容の複雑化などを背景に、コード画像に含まれる情報が増加傾向にある。コンピ
ューター等の情報処理装置にとっては、このような膨大な情報の取り扱いが容易であるが
、その物品等の取扱者にとっては、コード画像に含まれる情報を目視だけで把握すること
は容易ではなく、コード画像に、物品等の取り扱いに関する注意すべき情報が含まれてい
る場合、取扱者にその情報を正確に通知することが困難であった。
【０００３】
そこで、バーコードに含まれる情報のうち、取扱者が必要とする属性情報（実質文字列
）を、他の情報（付加文字列）とは異なる印刷形態で印刷する技術が提案されている（例
えば、特許文献１）。これにより、取扱者が、実質文字列を的確且つ迅速に認識すること
ができる、といった利点がある。
【先行技術文献】
【特許文献】
【０００４】
【特許文献１】特開２００３−１８２１６０号公報
【発明の概要】
【発明が解決しようとする課題】
【０００５】
ところが、実際の使用状況では、取扱者が必要とする属性情報が定まらない場合も多い
。例えば、スーパー等で商品に貼付されるラベルの場合、消費期限などの属性情報は、生
鮮食品や惣菜の場合非常に重要であるが、乾物など消費期限が長く設定されている場合は
あまり重要視されない。つまり、同じ属性情報であっても、商品や販売日時などの条件に
よって、重要度が変化することが考えられる。ところが、従来の技術では、条件に応じて
、コード画像に含まれる属性情報の印刷形態を変化するものは存在しない。
【０００６】
本発明は、このような問題点に鑑み、取扱者が情報を容易に把握できるように、同じ属
性情報であっても、条件を満たすか否かに応じて印刷形態を変化させることができる印刷
装置、印刷システム、印刷装置の制御方法およびプログラムを提供することを目的とする
。
【課題を解決するための手段】
【０００７】
本発明の印刷装置は、コード画像を印刷するためのコード情報に基づいて印刷を行う印
刷装置であって、コード情報は、１以上の属性情報を含み、当該属性情報は、各属性情報
を識別するための識別子と、当該識別子に付加されたパラメーターと、から成り、識別子
と、所定の印刷要素に装飾を施して印刷するための装飾情報と、パラメーターに基づいて
当該装飾を施すか否かを判定するための条件と、を関連付けて記憶する記憶部と、コード
情報を取得するコード情報取得部と、コード情報から、記憶部に記憶されている識別子が
含まれる属性情報を抽出する属性情報抽出部と、抽出した属性情報に含まれるパラメータ
ーが、当該属性情報に含まれる識別子に記憶部で関連付けられた条件を満たすか否かを判
別する条件判別部と、条件判別部により、パラメーターが条件を満たすと判定された場合
、識別子に関連付けられた装飾情報に基づいて印刷を行う印刷部と、を備えたことを特徴
とする。
【０００８】
本発明の印刷装置の制御方法は、識別子およびパラメーターから成る属性情報を１以上
含むコード情報に基づいて印刷を行う印刷装置の制御方法であって、印刷装置は、識別子
と、所定の印刷要素に装飾を施して印刷するための装飾情報と、パラメーターに基づいて
当該装飾を施すか否かを判定するための条件と、を関連付けて記憶する記憶部を備え、コ
ード画像を印刷するためのコード情報を取得するステップと、コード情報から、記憶部に
記憶されている識別子が含まれる属性情報を抽出するステップと、抽出した属性情報に含
まれるパラメーターが、当該属性情報に含まれる識別子に記憶部で関連付けられた条件を
満たすか否かを判別するステップと、パラメーターが条件を満たすと判定された場合、識
別子に関連付けられた装飾情報に基づいて印刷を行うステップと、を実行することを特徴
とする。
【０００９】
これらの構成によれば、属性情報に含まれるパラメーターが、記憶部において、当該属
性情報に含まれる識別子に関連付けられた条件を満たすと判定された場合のみ、当該条件
および識別子に関連付けられた装飾情報に基づいて印刷を行うため、パラメーターの内容
などに応じて印刷形態を変化させることができる。これにより、例えば、印刷内容の重要
度に応じて印刷形態を変化させることができ、取扱者は、重要な情報を的確且つ迅速に把
握することができる。また、印刷装置内部で装飾を施す構成であるため、外部装置（上位
装置）から装飾情報を取得する必要がない。このため、外部装置から装飾情報を取得する
場合に比べ、データー送信量を削減することができ、ひいてはネットワークトラフィック
の効率向上を図ることができる。また、外部装置における装飾処理が不要となるため、当
該外部装置の制御負荷の軽減、および装飾指定ミスなどを解消することができる。
【００１０】
上記に記載の印刷装置において、印刷部は、識別子に関連付けられた装飾情報に基づい
て装飾が施された所定の印刷要素と、コード情報取得部により取得したコード情報に基づ
くコード画像と、を印刷することが好ましい。
【００１１】
この構成によれば、装飾情報に基づく装飾が施された所定の印刷要素だけでなく、コー
ド情報に基づくコード画像も印刷することができる。
【００１２】
上記に記載の印刷装置において、所定の印刷要素は、識別子に付加されたパラメーター
を指すことが好ましい。
【００１３】
この構成によれば、所定の印刷要素を含む装飾情報に関連付けられているパラメーター
に対して、装飾情報に基づく装飾を施すことができる。例えば、識別子が商品コードを示
すものである場合、そのパラメーターであるコードに対して装飾を施すことができる。
【００１４】
上記に記載の印刷装置において、印刷部は、パラメーターに、識別子に対応するテキス
トを付加して印刷することが好ましい。
【００１５】
この構成によれば、装飾情報に基づく装飾が施されたパラメーターと共に、識別子に対
応するテキストを印刷することができる。例えば、識別子が商品コードを示すものである
場合、識別子に対応するテキスト（例えば、「商品コード：」）を、そのパラメーターで
あるコードの先頭に付加して印刷することができる。
【００１６】
上記に記載の印刷装置において、識別子は、商品コードを示すものであり、条件判別部
は、商品データーベースの参照結果から、パラメーターによって特定される商品が広告対
象商品であると判定できた場合、条件を満たすと判定することが好ましい。
【００１７】
この構成によれば、条件を、「パラメーターによって特定される商品が広告対象商品で
あること」としているため、広告対象商品を対象としたコード情報を取得した場合のみ、
所定の印刷要素に装飾を施すことができる。これにより、例えば、広告対象商品を対象と
したラベルに、「広告の品」のロゴを付加するなどの装飾を行うことができる。
【００１８】
上記に記載の印刷装置において、識別子は、期限日を示すものであり、条件判別部は、
計時部の計時結果から、パラメーターによって特定される日付までの残り日数が所定日数
以内であると判定できた場合、条件を満たすと判定することが好ましい。
【００１９】
この構成によれば、条件を、「パラメーターによって特定される日付までの残り日数が
所定日数以内であること」としているため、消費期限日や賞味期限日が残り少ない商品を
対象としたコード情報を取得した場合のみ、所定の印刷要素に装飾を施すことができる。
これにより、例えば、消費期限日や賞味期限日が近い商品を対象としたラベルに、日付(
パラメーター)を強調して印刷するなどの装飾を行うことができる。
【００２０】
上記に記載の印刷装置において、装飾情報は、文字サイズ、文字スタイル、下線、罫線
、枠線、文字飾り、文字色、線色、地紋色、文字種類、画像付加、印刷位置、のうち、１
以上に関する情報を含むことが好ましい。
【００２１】
この構成によれば、文字サイズ（フォントサイズ）、文字スタイル（斜体、太字など）
、下線、罫線、枠線、文字飾り（取り消し線、中抜き、浮き出し、隠し文字など）、文字
色、線色、地紋色、文字種類（フォント種類）、画像付加、印刷位置（印刷媒体上におけ
る絶対位置の指定、他情報との相対位置の指定）、などの装飾を施すことができる。
【００２２】
本発明の印刷システムは、上記に記載の印刷装置と、印刷装置に、コード情報を送信す
る外部装置と、を備えたことを特徴とする。
【００２３】
本発明のプログラムは、コンピューターに、上記に記載の印刷装置の制御方法における
各ステップを実行させることを特徴とする。
【００２４】
これらの構成によれば、同じ属性情報であっても、条件を満たすか否かに応じて印刷形
態を変化させることにより、取扱者が情報を容易に把握できる印刷システムおよびプログ
ラムを実現することができる。
【図面の簡単な説明】
【００２５】
【図１】本発明の一実施形態に係る印刷システムの構成を示すブロック図である。
【図２】コード画像を印刷するためのコード情報の説明図である。
【図３】印刷テーブルの一例を示す図である。
【図４】装飾テーブルの一例を示す図である。
【図５】外部装置から送信される印刷データーと、当該印刷データーに基づく商品ラベルの印刷結果を示す図である。
【図６】商品ラベルの編集内容を示す図である。
【図７】印刷装置の印刷処理を示すフローチャートである。
【発明を実施するための形態】
【００２６】
以下、本発明の一実施形態に係る印刷装置、印刷システム、印刷装置の制御方法および
プログラムについて、添付図面を参照しながら詳細に説明する。図１は、印刷システムＳ
Ｙの構成を示すブロック図である。当該印刷システムＳＹは、印刷装置１０と、当該印刷
装置１０に印刷データー４０（図５（ａ）参照）を送信する外部装置２０と、を備えてい
る。
【００２７】
外部装置２０は、少なくともコード画像３０を印刷するためのコード情報４２（図２（
ａ）参照）を生成、送信可能なものであれば良く、パーソナルコンピューターなど各種情
報処理装置を適用可能である。なお、図１では、コード画像３０としてバーコードを例示
しているが、２次元コードやカラーコードなど、各種コードシンボルを採用可能である。
【００２８】
また、外部装置２０は、商品データーベース２１を備えている。当該商品データーベー
ス２１は、各商品について、商品コード、固体識別番号、商品名、単価、割引率、商品属
性（広告対象商品、タイムサービス商品など）などが記録されたものである。なお、商品
データーベース２１を外部装置２０内に備えるのではなく、独立して印刷システムＳＹ内
に設けても良い。
【００２９】
一方、印刷装置１０は、少なくともコード情報４２に基づいてコード画像３０を印刷可
能であって、何らかの装飾・編集機能を備えているものであれば良い。本実施形態では、
生鮮食品や惣菜などに貼付される商品ラベルＬを作成するためのラベルプリンターであっ
て、カラー印刷が可能な印刷装置１０を例示する。なお、印刷装置１０は、外部装置２０
と有線接続されていても良いし、無線接続されていても良い。また、印刷方式も、インク
ジェットプリンターやサーマルプリンターなど、各種方式を適用可能である。
【００３０】
ここで、印刷装置１０の機能構成について説明する。図１に示すように、印刷装置１０
は、主な機能構成として、印刷データー取得部１１（コード情報取得部）、属性情報抽出
部１２、条件判別部１３、印刷部１４、記憶部１５および計時部１６を備えている。
【００３１】
印刷データー取得部１１は、外部装置２０から印刷データー４０を取得するものであり
、各種インターフェース（端子、ポートなど）により実現される。印刷データー４０には
、商品ラベルＬに、商品名などのテキストを印刷するためのテキスト情報４１や、上記の
コード情報４２などが含まれる（図５（ａ）参照）。
【００３２】
ここで、コード情報４２について説明する。図２（ａ）は、コード情報４２の一例を示
す図である。上記のとおり、コード情報４２は、コード画像３０を実現するための情報で
あって、１以上の属性情報から成る。図２（ａ）は、コード情報４２が、３つの属性情報
から構成される場合を例示している。
【００３３】
また、図２（ｂ）に示すように、属性情報は、各属性情報を識別するための識別子と、
当該識別子に付加されたパラメーターと、から成る。同図では、識別子を、括弧付の３桁
数字で示し、パラメーターを、６桁〜８桁の数字で示している。なお、コード画像３０と
しては、ＧＳ１データバーを用いることが可能である。この場合、識別子としては、ＧＳ
１アプリケーション識別子を適用可能である。但し、本実施形態では、ＧＳ１アプリケー
ション識別子の規格（ＩＳＯ／ＩＥＣ１５４１８規格）とは関係なく、識別子およびデー
ター項目を規定するものとする。
【００３４】
図１の説明に戻る。記憶部１５は、フラッシュメモリーなど不揮発性のメモリーにより
実現されるものであり、印刷テーブル１５ａ（図３参照）および装飾テーブル１５ｂ（図
４参照）を備えている。印刷テーブル１５ａは、上記の「識別子」と、当該識別子が示す
「データー項目」と、編集内容を示す「印刷情報」と、を関連付けたものである。また、
装飾テーブル１５ｂは、上記の「識別子」と、当該識別子が示す「データー項目」と、装
飾を施すか否かを判定するための「条件」と、編集内容を示す「装飾情報」と、を関連付
けたものである。編集内容の詳細については、後述する。
【００３５】
計時部１６は、ＲＴＣ（Real  Time  Clock）などにより実現されるものであり、現在
時刻を計時する。なお、印刷装置１０内に計時部１６を備えるのではなく、外部装置２０
から、時刻情報を取得することによって、現在時刻を特定できるようにしても良い。
【００３６】
属性情報抽出部１２は、印刷データー取得部１１により取得した印刷データー４０内の
コード情報４２から、記憶部１５（印刷テーブル１５ａおよび装飾テーブル１５ｂの少な
くとも一方）に記憶されている識別子が含まれる属性情報を抽出する。例えば、識別子「
０１０」（データー項目：固体識別番号）の属性情報を含むコード情報４２を取得した場
合、印刷テーブル１５ａおよび装飾テーブル１５ｂには、いずれも当該識別子が記憶され
ているため（図３の符号Ａ，図４の符号Ｂ参照）、取得したコード情報４２から、識別子
「０１０」の属性情報が抽出される。
【００３７】
条件判別部１３は、装飾テーブル１５ｂを参照し、属性情報抽出部１２により抽出した
属性情報に含まれるパラメーターが、当該属性情報に含まれる識別子に関連付けられた条
件を満たすか否かを判別する。例えば、識別子「０１０」の属性情報を含むコード情報４
２を取得した場合、装飾テーブル１５ｂでは、当該識別子に、条件「和牛を示すものであ
ること」が関連付けられているため（符号Ｂ参照）、識別子「０１０」に続くパラメータ
ーが、「和牛」を示すものであるか否かを判別する。
【００３８】
また、条件判別部１３は、例えば条件が、「パラメーターによって特定される商品が広
告対象商品であること」など、商品判定が必要なものである場合、商品データーベース２
１を参照して判別を行う。また、例えば条件が、「パラメーターによって特定される日付
までの残り日数が所定日数以内であること」など、日付判定が必要なものである場合、計
時部１６の計時結果を参照して判別を行う。
【００３９】
なお、上記の属性情報抽出部１２および条件判別部１３は、ＣＰＵ（Central  Process
ing  Unit）、ＲＯＭ（Read  Only  Memory）およびＲＡＭ（Random  Access  Memory）
等を主要部とする制御装置により実現される。
【００４０】
印刷部１４は、条件判別部１３により、パラメーターが条件を満たすと判定された場合
、識別子に関連付けられた装飾情報に基づいて印刷を行う。つまり、識別子「０１０」の
属性情報を含むコード情報を取得した場合であって、識別子「０１０」に続くパラメータ
ーが「和牛」を示すものであった場合、当該識別子に関連付けられた装飾情報「牛のイラ
ストを、位置＊＊＊＊に印刷」（符号Ｂ参照）にしたがって印刷を行う。なお、条件判別
部１３により、パラメーターが条件を満たさないと判定された場合は、装飾テーブル１５
ｂに基づく装飾は行わない。
【００４１】
また、印刷部１４は、属性情報抽出部１２により、印刷テーブル１５ａに記憶されてい
る識別子が含まれる属性情報を抽出した場合、当該識別子に関連付けられた印刷情報に基
づいて印刷を行う。つまり、識別子「０１０」の属性情報を含むコード情報４２を取得し
た場合、当該識別子に関連付けられた印刷情報「パラメーターを、テキスト「固体識別番
号：」に続けて、位置＊＊＊＊に印刷」（符号Ａ参照）にしたがって印刷を行う。なお、
印刷部１４は、印刷ヘッド、ヘッド駆動機構、ラベル媒体搬送機構およびラベル切断機構
等により実現される。
【００４２】
次に、図５を参照し、外部装置２０から送信される印刷データー４０と、当該印刷デー
ター４０に基づく商品ラベルＬの印刷結果について説明する。図５（ａ）は、印刷データ
ー４０の一例を概念的に示した図である。例示した印刷データー４０には、商品名を示す
テキスト情報４１と、コード情報４２と、枠線情報４３と、が含まれている。また、本例
では、これら各情報４１，４２，４３の印刷位置およびサイズ、並びにテキスト情報４１
のフォントおよび色に関する情報も、印刷データー４０に含まれるものとする。さらに、
コード情報４２には、同図に示した６つの属性情報が含まれるものとする。
【００４３】
図５（ｂ）は、図５（ａ）に示した印刷データー４０に基づく商品ラベルＬの印刷結果
を示す図である。同図に示すように、ラベル上には、「広告の品」と記載されたトップロ
ゴ５１、商品名５２、詳細情報５３、ラベル枠５４、イラスト５５、商品価格５６および
コード画像３０が印刷されている。なお、商品名５２、ラベル枠５４およびコード画像３
０は、それぞれ印刷データー４０のテキスト情報４１、コード情報４２および枠線情報４
３に基づいて印刷された項目である。
【００４４】
ここで、図６を参照し、印刷テーブル１５ａ（図３参照）および装飾テーブル１５ｂ（
図４参照）と、商品ラベルＬの印刷結果との相関関係について説明する。図５（ａ）に示
したとおり、印刷データー４０（コード情報４２）には識別子「００１」（データー項目
：商品コード）が含まれ、装飾テーブル１５ｂに識別子「００１」が記憶されているため
、条件判別部１３は、商品データーベース２１を参照し、当該識別子に続くパラメーター
によって特定される商品が、当該識別子に関連付けられた条件「広告対象商品であること
」を満たすか否かを判別する。その結果、条件を満たす場合、当該識別子に関連付けられ
た装飾情報に基づいて、トップロゴ５１が印刷される。言い換えれば、条件を満たさない
場合（広告対象商品でない場合）は、トップロゴ５１が印刷されない。なお、「ロゴ」と
は、所定形式の画像データーを指すものであり、当該ロゴの指定により、当然、色および
サイズも指定される。
【００４５】
さらに、条件判別部１３は、商品データーベース２１を参照し、当該識別子に続くパラ
メーターによって特定される商品が、当該識別子に関連付けられた条件「精肉を示すもの
であること」を満たすか否かを判別する。その結果、条件を満たす場合、当該識別子に関
連付けられた装飾情報に基づいて、ラベル枠５４が変更されて印刷される。言い換えれば
、条件を満たさない場合（精肉を示すものでない場合）は、枠線情報４３に基づく規定の
ラベル枠が印刷される。
【００４６】
なお、図４に示すとおり、装飾情報には、各種装飾に関する編集内容が記述されている
。装飾内容としては、文字サイズ（フォントサイズ）、文字スタイル（斜体、太字など）
、下線、罫線、枠線、文字飾り（取り消し線、中抜き、浮き出し、隠し文字など）、文字
色、線色、地紋色、文字種類（フォント種類）、画像付加、印刷位置（商品ラベルＬ上に
おける絶対位置の指定、他情報との相対位置の指定）、などが挙げられる。また、装飾情
報には、装飾の対象となる所定の印刷要素（ロゴやイラストの挿入領域、識別子に続くパ
ラメーター、ラベル枠など）についても記述されている。
【００４７】
また、図５（ａ）に示した印刷データー４０には、識別子「０１０」（データー項目：
固体識別番号）も含まれる。さらに、印刷テーブル１５ａは、当該識別子「０１０」が記
憶されている。したがって、印刷テーブル１５ａにおいて当該識別子に関連付けられた印
刷情報に基づいて印刷が行われる。本実施形態では、識別子「０１０」に関連付けられた
印刷情報に基づいて、詳細情報５３の１行目が印刷されたものとする。図３に示すとおり
、印刷情報には、印刷位置やテキスト挿入の他、各種装飾（上記の「装飾情報」参照）に
関する編集内容が記述されている。
【００４８】
また、識別子「０１０」は、装飾テーブル１５ｂにも記憶されているため、条件判別部
１３は、商品データーベース２１を参照し、当該識別子に続くパラメーターによって特定
される商品が、当該識別子に関連付けられた条件を満たすか否かを判別する。その結果、
条件を満たす場合、当該識別子に関連付けられた装飾情報に基づいて、イラスト５５が印
刷される。
【００４９】
また、印刷データー４０に含まれる識別子「０１１」（データー項目：消費期限）の属
性情報（図５（ａ）参照）に基づいて、詳細情報５３の２行目が印刷される。当該識別子
「０１１」は、装飾テーブル１５ｂにも記憶されているため、条件判別部１３は、計時部
１６の計時結果を参照し、当該識別子に続くパラメーターによって特定される日付が、当
該識別子に関連付けられた条件「残り日数が７日以内であること」を満たすか否かを判別
する。その結果、条件を満たす場合、当該識別子に関連付けられた装飾情報に基づいて、
消費期限のパラメーター部分が、赤色、強調、下線付きで印刷される。つまり、この場合
は、装飾の対象となる所定の印刷要素が、識別子に続くパラメーターとなる。
【００５０】
同様に、本実施形態では、印刷データー４０に含まれる識別子「０１５」（データー項
目：加工日）の属性情報に基づいて、詳細情報５３の３行目が印刷され、印刷データー４
０に含まれる識別子「０３０」（データー項目：内容量）の属性情報に基づいて、詳細情
報５３の４行目が印刷され、印刷データー４０に含まれる識別子「０４５」（データー項
目：価格表示）の属性情報に基づいて、詳細情報５３の５行目および商品価格５６が印刷
される。なお、詳細情報５３は、いずれも、印刷テーブル１５ａの参照結果に基づいて、
各識別子に対応するテキストを、当該識別子に続くパラメーターに付加して印刷されたも
のである（パラメーターテキスト印刷）。
【００５１】
次に、図７のフローチャートを参照し、印刷装置１０の印刷処理の流れについて説明す
る。ここでは、記憶部１５内に、印刷テーブル１５ａおよび装飾テーブル１５ｂが、予め
設定されているものとして説明する。印刷装置１０は、印刷データー取得部１１により、
印刷データー４０（コード情報４２）を取得すると（Ｓ０１）、属性情報抽出部１２によ
り、印刷テーブル１５ａ内の識別子を含む属性情報が、取得したコード情報４２に含まれ
るか否かを判別する（Ｓ０２）。
【００５２】
印刷テーブル１５ａ内の識別子を含む属性情報がコード情報４２に含まれる場合は（Ｓ
０２：Ｙｅｓ）、当該識別子に関連づけられた印刷情報に基づいて印刷を行うための編集
を行う（Ｓ０３）。一方、印刷テーブル１５ａ内の識別子を含む属性情報がコード情報４
２に含まれない場合は（Ｓ０２：Ｎｏ）、Ｓ０３を省略する。
【００５３】
続いて、印刷装置１０は、属性情報抽出部１２により、装飾テーブル１５ｂ内の識別子
を含む属性情報が、取得したコード情報４２に含まれるか否かを判別する（Ｓ０４）。こ
こで、装飾テーブル１５ｂ内の識別子を含む属性情報がコード情報４２に含まれる場合は
（Ｓ０４：Ｙｅｓ）、条件判別部１３により、当該識別子に続くパラメーターが、装飾テ
ーブル１５ｂに記述された条件を満たすか否かを判別する（Ｓ０５）。
【００５４】
条件判別部１３により、当該識別子に続くパラメーターが条件を満たすと判定された場
合は（Ｓ０５：Ｙｅｓ）、装飾テーブル１５ｂに記述された装飾情報に基づいて印刷を行
うための編集を行う（Ｓ０６）。一方、装飾テーブル１５ｂ内の識別子を含む属性情報が
コード情報４２に含まれない場合は（Ｓ０４：Ｎｏ）、Ｓ０５およびＳ０６を省略し、識
別子に続くパラメーターが条件を満たさない場合は（Ｓ０５：Ｎｏ）、Ｓ０６を省略する
。その後、印刷部１４により、Ｓ０３およびＳ０６の編集結果に基づいて、印刷を行う（
Ｓ０７）。
【００５５】
以上説明したとおり、本実施形態の印刷システムＳＹによれば、印刷装置１０は、外部
装置２０から送信された印刷データー４０に含まれるコード情報４２内の任意の属性情報
が、装飾テーブル１５ｂで定められた条件を満たすと判定された場合のみ、当該条件およ
び識別子に関連付けられた装飾情報に基づいて印刷を行うため、属性情報の内容などに応
じて印刷形態を変化させることができる。これにより、例えば、印刷内容の重要度に応じ
て印刷形態を変化させることができ、取扱者は、重要な情報を的確且つ迅速に把握するこ
とができる。また、印刷装置１０内部で装飾を施す構成であるため、外部装置２０から装
飾情報を取得する必要がない。このため、外部装置２０における装飾処理が不要となり、
装飾指定ミスを解消することができると共に、印刷装置１０に送信するデーター送信量を
少なくすることができる。
【００５６】
また、印刷装置１０内には、装飾テーブル１５ｂ以外に、識別子毎に印刷情報（編集内
容）が設定された印刷テーブル１５ａも記憶されているため、条件を満たすか否かに関わ
らず、特定の属性情報に対して一律に同様の装飾を施すことも可能である。
【００５７】
なお、上記の実施形態では、商品ラベルＬ上に、コード画像３０を印刷するものとした
が（図５（ｂ）参照）、必ずしも印刷しなくても良い。つまり、印刷データー４０にコー
ド情報４２が含まれる場合であっても、当該コード情報４２に基づくコード画像３０の印
刷を省略しても良い。また、コード画像３０の印刷の要否について、ユーザーが設定可能
としても良い。
【００５８】
また、上記の実施形態では、テキスト情報４１、コード情報４２および枠線情報４３の
印刷位置およびサイズ、並びにテキスト情報４１のフォントおよび色に関する情報が、印
刷データー４０に含まれるものとしたが、これら印刷位置およびサイズ、並びにフォント
および色に関する情報を、印刷装置１０内の印刷テーブル１５ａに格納しておくようにし
ても良い。つまり、外部装置２０からは、各情報４１，４２，４３の内容のみを送信し、
印刷位置やサイズなどについては、印刷テーブル１５ａの印刷情報に基づいて決定しても
良い。この構成によれば、外部装置２０から、印刷位置やサイズなどの情報を送信する必
要がないため、データー送信量をさらに少なくすることができる。
【００５９】
また、上記の実施形態では、ラベル枠５４の印刷について、印刷データー４０内の枠線
情報４３に基づく枠線を、装飾情報に基づく枠線に変更する場合を例示したが、印刷デー
ター４０内に枠線情報４３が含まれない場合、所定の枠線を付加する装飾を行うようにし
ても良い。つまり、装飾情報として、「所定の枠線を付加して印刷する」旨を記述しても
良い。
【００６０】
また、上記の実施形態では、識別子「０１１」（データー項目：消費期限）に続くパラ
メーターによって特定される日付が、条件「残り日数が７日以内であること」を満たす場
合、当該パラメーター部分を強調印刷するものとしたが、消費期限については、残り日数
が少ないときばかりでなく、商品によっては、常に重要となる場合が考えられる。そこで
、商品コードから、生鮮食品や惣菜など、消費期限が重要と考えられる商品であると判定
された場合、消費期限のパラメーター部分に装飾を施すようにしても良い。この場合、識
別子は、商品コードを示すものとし、条件は、「生鮮食品や惣菜を示すものであること」
とし、装飾情報は、消費期限のパラメーター（識別子「０１１」に続くパラメーター）を
強調印刷する、として、装飾テーブル１５ｂに記憶させておけばよい。この構成によれば
、所定の印刷要素を、特定の識別子に続くパラメーターとすることができ、さらに多様な
装飾を実現することができる。
【００６１】
また、上記に示した印刷装置１０の各構成要素をプログラムとして提供することが可能
である。また、そのプログラムを各種記録媒体（ＣＤ−ＲＯＭ、フラッシュメモリー等）
に格納して提供することも可能である。すなわち、コンピューターを印刷装置１０の各構
成要素として機能させるためのプログラム、およびそれを記録した記録媒体も、本発明の
権利範囲に含まれるものである。
【００６２】
また、上記の実施形態では、印刷装置１０をラベルプリンターに適用した場合を例示し
たが、他のプリンターや発券機などに適用しても良い。その他、本発明の要旨を逸脱しな
い範囲で、適宜変更が可能である。
【符号の説明】
【００６３】
１０…印刷装置  １１…印刷データー取得部  １２…属性情報抽出部  １３…条件判別
部  １４…印刷部  １５…記憶部  １５ａ…印刷テーブル  １５ｂ…装飾テーブル  １６
…計時部  ２０…外部装置  ２１…商品データーベース  ３０…コード画像  ４０…印刷
データー  ４２…コード情報  Ｌ…商品ラベル
【図１】
2011042103.tif 000003
【図２】
2011042103.tif 000004
【図３】
2011042103.tif 000005
【図４】
2011042103.tif 000006
【図５】
2011042103.tif 000007
【図６】
2011042103.tif 000008
【図７】
2011042103.tif 000009